(57)【要約】      （修正有）【課題】ＩＥＤが非アクティブになっても変電所管理システムが短時間で再開出来るようにする。【解決手段】一次装置が非アクティブになった場合、変電所管理システムが、バックアップ構成ファイル２８０を用いてバックアップ装置２９０を保守管理し、作動させる。一実施形態ではピアツーピア通信を使用することができ、一次装置２１０はこのように構成された他の装置２１０、２６０、２９０と通信する。一実施形態では変電所コンピュータ２６０などのマスターデバイスが、接続された装置２１０、２６０、２９０すべてのステータスを監視することができ、一次装置２１０またはバックアップ装置２９０は、一次装置またはＩＥＤのステータスを監視し、一次装置２１０の状態が変化する場合、作動させるバックアップ装置２９０を選択し、および／またはバックアップ構成ファイル２８０を保管することができる。【選択図】図２
2012165636.tif 000002
【特許請求の範囲】
【請求項１】
少なくとも１つの一次インテリジェント電子デバイス（ＩＥＤ、２１０）を含み、各一次ＩＥＤ（２１０）がそれぞれの構成ファイル（２７０）を有する、複数の変電所装置と、
少なくとも１つの一次ＩＥＤ（２１０）による通信を可能にすることを含め、前記複数の変電所装置の少なくとも１つによる通信を可能にする通信設備（２４０、２５０、２６５）と、
各構成ファイル（２７０）ごとに少なくとも１つのバックアップ構成ファイル（２８０）と
を含み、
一次ＩＥＤ（２１０）がアクティブ状態ではなくなることに応答して、前記複数の変電所装置のうちの少なくとも１つが、前記非アクティブの一次ＩＥＤに対応する前記バックアップ構成ファイル（２８０）でバックアップＩＥＤ（２９０）を作動させる、変電所システム。
【請求項２】
少なくとも１つのバックアップＩＥＤ（２９０）をさらに含み、各バックアップ構成ファイル（２８０）が特定のバックアップＩＥＤ（２９０）に割り当てられる、請求項１記載の変電所システム。
【請求項３】
変電所管理方法（３００）であって、
少なくとも１つの一次インテリジェント電子デバイス（ＩＥＤ、２１０）のそれぞれについて、
それぞれの構成ファイルを取得すること（３０４）と、
それぞれのバックアップ構成ファイルを作成すること（３０６）と、
前記少なくとも１つのプライマリＩＥＤを監視すること（３０８）と、
一次ＩＥＤ（２１０）がアクティブ状態ではなくなることに応答して、前記対応するバックアップ構成ファイルでバックアップＩＥＤを作動させ、前記バックアップＩＥＤが状態の変化した前記プライマリＩＥＤを引き継ぐようにすること（３１２）と
を含む、方法。
【請求項４】
一次ＩＥＤの構成の変化をチェックすること（３１４）と、構成の変化した一次ＩＥＤに対応する各バックアップ構成ファイルを更新すること（３１６）とをさらに含む、請求項３記載の変電所管理方法。
【請求項５】
バックアップ構成ファイル（２８０）が、少なくとも１つのバックアップＩＥＤ（２９０）のそれぞれにコピーされる、請求項１および３のいずれかに記載の発明。
【請求項６】
各ＩＥＤ（２１０、２９０）が、少なくとも１つの他のＩＥＤ（２１０、２９０）とピアツーピア方式で通信する、請求項１および３のいずれかに記載の発明。
【請求項７】
少なくとも１つのＩＥＤ（２１０、２９０）が、変電所コンピュータ（２６０）と通信する、請求項１および３のいずれかに記載の発明。
【請求項８】
各一次ＩＥＤ（２１０）が前記通信設備（２４０、２５０、２６５）を通じてステータスを送信する、請求項１および３のいずれかに記載の発明。
【請求項９】
コンピュータ可読記憶媒体（４１６）に格納されたコンピュータ実行可能プログラムコードの形態の命令を含む、少なくとも１つの一次インテリジェント電子デバイス（ＩＥＤ、２１０）を含む変電所を管理するためのコンピュータ製品であって、
前記変電所内の少なくとも１つの一次ＩＥＤ（２１０）のそれぞれのステータスを監視するためのプログラムコードであって、前記ステータスが少なくともアクティブ状態と非アクティブ状態を含む、プログラムコードと、
各一次ＩＥＤ（２１０）ごとにバックアップ構成ファイル（２８０）を作成するためのプログラムコードと、
一次ＩＥＤ（２１０）が前記アクティブ状態ではなくなることに応答して、前記一次ＩＥＤ（２１０）に対応する前記バックアップ構成ファイル（２８０）でバックアップＩＥＤ（２９０）を作動させるためのプログラムコードと、
ＩＥＤ（２１０、２９０）間でピアツーピア通信を可能にするためのプログラムコードと、
各プライマリＩＥＤ（２１０）がそれぞれのステータスを少なくとも１つの他のＩＥＤ（２１０、２９０）に送信できるようにするためのプログラムコードと
を含む、コンピュータ製品。
【請求項１０】
前記変電所が、少なくとも１つのバックアップＩＥＤ（２９０）をさらに含み、前記コンピュータ製品が、それぞれのバックアップＩＥＤ（２９０）において少なくとも１つの一次ＩＥＤに対応する少なくとも１つのバックアップ構成ファイル（２８０）を管理するためのプログラムコードをさらに含む、請求項９記載のコンピュータ製品。
【発明の詳細な説明】
【技術分野】
【０００１】
本開示は、概して、いわゆる「スマートグリッド」のハードウェア、ソフトウェア、および配電用機器に関し、より詳細には、スマート変電所の管理のための方法および装置に関する。
【背景技術】
【０００２】
配電網は、マスターステーション、送電線／網、変電所、配電線／網、および顧客を含む。中高電圧配電網の変電所は、電気ケーブル、電線、母線、スイッチ、電力変圧器、および計器用変圧器などの一次装置を含むことができ、これらは一般的にスイッチヤードおよび／またはスイッチベイに配置される。一次装置は、一般にインテリジェント電子デバイス（ＩＥＤ）と呼ばれる、マイクロプロセッサベースのプログラム可能な二次装置を使用することができる変電所自動化（ＳＡ）システムを利用して、自動化されることが可能である。ＩＥＤは、一次装置を保護、制御、および監視する。ＳＡシステムは通常、変電所装置間の相互運用を必要とするので、例えば、ＩＥＣ  ６１８５０  ＳＡプロトコルを使用するＥｔｈｅｒｎｅｔ網などの変電所母線を使用して、装置間の通信、ならびに／あるいは変電所と制御センタ、リモートオペレータ、および／または他の変電所のような外部装置との間の通信を可能にすることができる。例えば、変電所母線は、変電所のコンピュータなどのゲートウェイ装置に接続される、および／またはゲートウェイ装置によって制御されることが可能であり、ゲートウェイ装置はインターネットに接続されて、変電所と制御センタ、他の変電所、リモートオペレータなどとの間の通信を可能にすることもできる。
【０００３】
このようなスマート変電所は配電グリッドの回復力を向上させたが、障害または他の事象により変電所がオフラインになった後、変電所を再び接続するにはかなりの時間がかかるおそれがある。例えば、変電所の典型的な再開および修復は、１２時間もかかる可能性がある。一部の提案された技術を使用しても、これは３時間程度に削減されるにすぎない。この削減は有効であるが、サービスのこのような遅延でも、病院および電気サービスに大きく依存する他の施設には害がある可能性がある。再開および修復時間をさらに削減することが有益であり、変電所の信頼性および／または回復力を向上させることも同様であろう。
【先行技術文献】
【特許文献】
【０００４】
【特許文献１】欧州特許第２０９０９５０号公報
【発明の概要】
【０００５】
本明細書に開示する本発明の諸実施形態は、例えば、装置がアクティブ状態ではなくなった後の、変電所の再開および修復時間を削減することができる。一実施形態では、変電所システムが、少なくとも１つの一次インテリジェント電子デバイス（ＩＥＤ）を含む、複数の変電所装置を有する。通信設備により、ＩＥＤ間の通信が可能になる。各一次ＩＥＤは、それぞれ構成ファイルを有し、システムは、各構成ファイルごとに少なくとも１つのバックアップ構成ファイルを有する。一次ＩＥＤのステータスがアクティブ以外になる場合、アクティブ状態ではなくなった一次ＩＥＤに対応するバックアップ構成ファイルでバックアップＩＥＤが作動される。
【０００６】
別の実施形態は、少なくとも１つの一次ＩＥＤのそれぞれについて、それぞれの構成ファイルを取得すること、ならびにそれぞれのバックアップ構成ファイルを作成することを含む、変電所管理方法である。少なくとも１つの一次ＩＥＤは監視される。一次ＩＥＤがアクティブ状態ではなくなることに応答して、対応するバックアップ構成ファイルでバックアップＩＥＤが作動され、バックアップＩＥＤが、アクティブ状態ではなくなった一次ＩＥＤを引き継ぐようにする。
【０００７】
別の実施形態は、少なくとも１つの一次インテリジェント電子デバイス（ＩＥＤ）を含む変電所を管理するためのコンピュータ製品を有する。このコンピュータ製品は、変電所の少なくとも１つの一次ＩＥＤのそれぞれのステータスを監視するためのプログラムコードなど、コンピュータ可読記憶装置に格納されたコンピュータ実行可能プログラムコードの形態の命令を含み、ステータスには、少なくともアクティブ状態と非アクティブ状態が含まれる。さらに、コンピュータ製品は、各一次ＩＥＤごとにバックアップ構成ファイルを作成するためのプログラムコードと、一次ＩＥＤがアクティブ状態ではなくなることに応答して、一次ＩＥＤのバックアップ構成ファイルでバックアップＩＥＤを作動させるためのプログラムコードとを含む。
【０００８】
本発明の他の態様は、方法、システム、プログラム製品、ならびにそれぞれを使用する方法および生成する方法を提供し、これらは本明細書に記載する活動の一部または全部を含むおよび／または実行する。図示した本発明の態様は、本明細書に記載する問題の１つもしくは複数、および／または１つもしくは複数の記載していない他の問題を解決するよう設計されている。
【０００９】
これらおよび他の開示の特徴は、本発明の様々な態様を示す添付の図面と併せて検討される本発明の様々な態様の次の詳細な説明からさらに容易に理解されるであろう。
【図面の簡単な説明】
【００１０】
【図１】諸実施形態を使用することができる配電網の概略図である。
【図２】諸実施形態を使用することができる変電所の概略図である。
【図３】諸実施形態による方法の流れ図である。
【図４】諸実施形態を使用することができるコンピュータシステムを含む環境の概略図である。
【発明を実施するための形態】
【００１１】
図面は、縮尺比に従っていない可能性があることに注意する。図面は、単に本発明の典型的な態様を示すためであり、したがって本発明の範囲を限定するとみなされるべきではない。図面では、図面間で同様の参照符号が同様の要素を表している。
【００１２】
詳細な説明は、例として図面を参照して、利点および特徴と共に、本発明の諸実施形態を説明する。
【００１３】
上述のように、本発明の諸態様は、変電所を管理するためのシステム、方法、およびコンピュータ記憶製品を提供する。特に断りのない限り本明細書で使用する「一連」という用語は、１つまたは複数（すなわち少なくとも１つ）を意味し、「任意の解決法」という語句は、現在知られている、または将来開発される、いかなる解決法も意味する。
【００１４】
添付の図面を参照すると、図１は、マスターステーション１１０が高圧電線などの送電網１２０に接続された電力生成および配電網１００の概略図を示している。送電顧客１３０は送電網１２０に接続することができ、少なくとも１つの変電所１４０が送電網１２０から電力を受け取り、配電線１８０を介してこれを下位送電顧客１５０、一次顧客１６０、および／または二次顧客１７０に送信する。変電所１４０は、例えば、図２に示す実施形態による変電所２００の概略図に示すように変更される。
【００１５】
諸実施形態の変電所２００は、変電所装置のような装置を制御するために配置された少なくとも１つの一次インテリジェント電子デバイス（ＩＥＤ）２１０を含む。例えば、入力／出力データ（Ｉ／Ｏ）２２０は、測定ユニット（ＭＵ）２３０によって受信および／または送信することができる。イーサネットベースの通信設備のようなプロセスバス２４０が、諸実施形態において一次ＩＥＤ２１０を制御装置２２０、２３０に接続することができる。例えば、イーサネットスイッチにより、一次ＩＥＤ２１０と制御装置２２０、２３０との間の通信が可能になる。さらに、変電所母線２５０により、諸実施形態において一次ＩＥＤ２１０と変電所コンピュータ２６０との間の通信が可能になる。プロセスバス２４０と同様に、変電所母線２５０は、イーサネットスイッチなど、イーサネットベースの通信設備とすることができる。プロセスバス２４０および／または変電所母線２５０は、例えば、ＩＥＣ  ６１８５０変電所自動化プロトコルおよび／または一般のオブジェクト指向変電所イベント（ｇｅｎｅｒｉｃ  ｏｂｊｅｃｔ  ｏｒｉｅｎｔｅｄ  ｓｕｂｓｔａｔｉｏｎ  ｅｖｅｎｔ、ＧＯＯＳＥ）プロトコルのような、いかなる好適なプロトコルを使用することもできる。プロセスバス２４０および変電所母線２５０を図２では別個の要素として示したが、諸実施形態は単に単一のバスまたは通信設備を採用することができる。さらに、現在知られているならびに／あるいは将来開発されるおよび／または発見される（１つもしくは複数の）いかなる好適な通信装置および／またはプロトコルを、イーサネットスイッチの代わりに使用することもできる。
【００１６】
一実施形態では、一次ＩＥＤ２１０がピアツーピア方式で互いに通信し、例えばプロセスバス２４０および／または変電所母線２５０のような通信設備を通じてそのステータスを送信する。諸実施形態では、一次ＩＥＤ２１０は、それぞれの一次ＩＥＤ２１０が関与する制御装置２２０、２３０に関する詳細を含んでいる構成ファイル２７０をそれぞれ有するが、構成ファイル２７０は、特定の変電所構成についての保証された他の情報を含むことができる。諸実施形態の構成ファイル２７０は、そのそれぞれの一次ＩＥＤ２１０に格納することができ、バックアップ構成ファイル２８０は他の場所に格納することができる。各バックアップ構成ファイル２８０は、少なくともその初期状態ではそれぞれの構成ファイル２７０のコピーであることが可能であるが、諸実施形態ではバックアップ構成ファイル２８０は定期的に、または単に一次ＩＥＤ２１０が構成を変更したときに、更新することができる。さらにバックアップ構成ファイル２８０は、検出された装置の構成に基づいて作成されることが可能である。バックアップ構成ファイル２８０は、変電所コンピュータ２６０および／またはＩＥＤ２１０に、ならびに／あるいは変電所２００内外の他の装置に、格納することができる。このような実施形態では、各一次ＩＥＤ２１０は、他のＩＥＤ２１０の１つまたは複数のバックアップ構成ファイル２８０を格納することができる。さらに、一次ＩＥＤ２１０は、一次ＩＥＤ２１０がアクティブ状態ではなくなることを検出する際に積極的な役割を有することができる。例えば、一次ＩＥＤ２１０の１つまたは複数は、他の一次ＩＥＤ２１０を監視し、アクティブ状態ではなくなった一次ＩＥＤ２１０に対応するバックアップ構成ファイル２８０でバックアップＩＥＤ２９０を作動させることができる。あるいは、指定した一次ＩＥＤ２１０がこの役割を行うことができ、または、１つもしくは複数の一次ＩＥＤが、変電所コンピュータ２６０にＩＥＤの状態の変更を知らせることができる。諸実施形態のバックアップ構成ファイル２８０は、例えばＩＥＣ  ６１８５０ファイル転送プロトコルを使用して転送することができるが、諸実施形態の範囲内で他のプロトコルを使用することもできる。（１つまたは複数の）バックアップＩＥＤ２９０は、通常動作中に存在し、一次ＩＥＤ２１０の１つまたは複数と通信していることが可能である。あるいは、バックアップＩＥＤ２９０は、一次ＩＥＤ２１０がアクティブ状態ではなくなった時点で導入することができる。
【００１７】
諸実施形態の変電所コンピュータ２６０は、直接通信を通しておよび／または他の構成要素を介して、一次ＩＥＤ２１０および／または制御装置２２０、２３０を監視し、場合によっては制御することができ、限定ではないがインターネットのような、別の通信設備２６５と通信して、制御センタ、リモートユーザ、および他の変電所と通信することができる。これは、上述のＩＥＤ２１０、２９０間のピアツーピア通信に追加されるものであることが可能である。図２に示すような諸実施形態では、変電所コンピュータ２６０が、変電所母線２５０を介して一次ＩＥＤ２１０と通信し、例えば一次ＩＥＤの構成、ステータス、ならびに制御装置２２０、２３０のステータスおよび／または構成を含む、一次ＩＥＤ２１０からの更新を受信することによって、一次ＩＥＤ２１０のステータスを監視することができる。一次ＩＥＤ２１０は、諸実施形態では、例えば通信設備を通してステータス情報を送受信することによって、よりアクティブとすることができる。上述のピアツーピア機構と同様に、一次ＩＥＤ２１０はそれぞれの一次ＩＥＤが関与する制御装置２２０、２３０に関する詳細を含む構成ファイル２７０をそれぞれ有するが、構成ファイル２７０は、特定の変電所構成についての保証された他の情報を含むことができる。諸実施形態の構成ファイル２７０は、そのそれぞれの一次ＩＥＤ２１０に格納することができ、バックアップ構成ファイル２８０は、他の場所に格納することができる。各バックアップ構成ファイル２８０は、少なくとも初期状態ではそれぞれの構成ファイル２７０のコピーとすることができるが、諸実施形態ではバックアップ構成ファイル２８０は定期的に、または単に一次ＩＥＤ２１０が構成を変更したときに、更新することができる。さらに、バックアップ構成ファイル２８０は、検出された装置の構成に基づいて作成されることが可能である。バックアップ構成ファイル２８０は、変電所コンピュータ２６０および／またはＩＥＤ２１０に、ならびに／あるいは変電所２００内外の他の装置に、格納することができる。バックアップ構成ファイル２８０を転送するための好適なプロトコルの一例は、ＩＥＣ  ６１８５０ファイル転送プロトコルであるが、本実施形態の範囲内で他のプロトコルを使用することもできる。
【００１８】
変電所コンピュータ２６０および／またはＩＥＤ２１０、２９０の１つもしくは複数が、ＩＥＤ２１０のステータスまたは状態の変化を監視することができ、諸実施形態ではこの状態は、少なくともアクティブ、非アクティブ、もしくは故障である、または異なる呼称を有する等価物である可能性がある。あるいは、アクティブと非アクティブまたは異なる呼称の等価物など、２つの状態を使用することができ、または諸実施形態では別の好適なフラグを使用して、一次ＩＥＤ２１０に関連する問題を信号で知らせる／検出することができる。ＩＥＤ２１０がアクティブ状態から別の状態へ変わる、または単にアクティブ状態ではなくなる場合、変更されたＩＥＤ２１０に対応するバックアップ構成ファイル２８０が使用されて、バックアップＩＥＤ２９０を作動させることができる。さらに、一次ＩＥＤ２１０との通信がないことは、一次ＩＥＤがアクティブ状態ではなくなっていると解釈することができる。使用されるバックアップ構成ファイルが作動されるバックアップＩＥＤ上にまたはこの中にすでにある諸実施形態では、一次ＩＥＤ２１０または変電所コンピュータ２６０などによって、命令を送信または伝送してそのバックアップ構成ファイルを使用することができる。使用されるバックアップ構成ファイルが、作動されるバックアップＩＥＤ上にまたはこの中にすでにない諸実施形態では、使用されるバックアップ構成ファイルは、作動されるバックアップＩＥＤに送信、転送、または伝送することができる、あるいはバックアップＩＥＤは、使用されるバックアップ構成ファイルに基づいて構成することができる。例えば諸実施形態では、ＩＥＣ  ６１８５０ファイル転送プロトコルを使用して、バックアップ構成ファイル２８０を伝送することができるが、諸実施形態の範囲内で他のプロトコルを使用することができる。上述のように、諸実施形態により時間を最小限にするために少なくとも１つのバックアップＩＥＤ２９０が変電所２００にあらかじめ導入されることが可能であるが、その代わりにバックアップＩＥＤ２９０は一次ＩＥＤ２１０の状態が変化した後に、管理者によって導入されるなどして、追加されるまたは導入されることが可能である。少なくとも１つのバックアップＩＥＤ２９０があらかじめ導入される諸実施形態では、少なくとも１つのバックアップＩＥＤ２９０と一次ＩＥＤ２１０および／または変電所コンピュータ２６０との通信がイネーブルされ、１つの選択された、またはすべてのバックアップ構成ファイル２８０が、各バックアップＩＥＤ２９０に格納および／または管理されることが可能である。
【００１９】
図３を参照すると、諸実施形態による方法３００が始まり（ブロック３０２）、一次ＩＥＤなど監視される各装置ごとの構成ファイルが取得される（ブロック３０４）。バックアップ構成ファイルが作成され（ブロック３０６）、ＩＥＤなどの装置が、例えば１つまたは複数のＩＥＤおよび／または変電所コンピュータによって監視される（ブロック３０８）。監視される装置の状態がチェックされ（ブロック３１０）、装置の状態がアクティブから別の状態へ変わった、アクティブではなくなった、および／または監視装置ともはや通信していない場合、変化した状態を有する装置に対応するバックアップ構成ファイルでバックアップＩＥＤなどのバックアップ装置を作動させることができる（ブロック３１２）。状態を変更した装置がない場合、諸実施形態では、構成ファイルの変更をチェックする（ブロック３１４）。変更がある場合、バックアップ構成ファイルを更新することができ（ブロック３１６）、ブロック３０８を繰り返すことができる。変更がない場合、バックアップ構成ファイルを更新せずにブロック３０８を繰り返すことができる。諸実施形態では、ブロック３０８〜３１６のような方法３００による監視が無期限に続く場合がある。あるいは、他の実施形態では、図３の点線で示すように、装置の状態のチェック（ブロック３１０）、バックアップ装置の作動（ブロック３１２）、構成ファイルのチェックで変更がない結果が出る（ブロック３１４）、および／またはバックアップ構成ファイルの更新（ブロック３１６）から状態が変化した後に、方法３００は停止する（ブロック３１８）。方法３００が停止する諸実施形態では、方法３００の最初の実行でバックアップ構成ファイルはすでに取得されているので、次に呼び出されるとき、ブロック３０４〜３０６を省いてブロック３０８〜３１８を行うことができる。ここに開示して請求する本発明の諸実施形態の範囲内で、状態および構成ファイルのチェックが行われる順序は変更することができ、また構成ファイルのチェックは削除することができる。ここに示す流れ図は、一例にすぎない。この図またはそこに記載するステップ（または工程）には、本発明の趣旨を逸脱しない数多くの変形形態が存在する可能性がある。例えば、諸ステップは、異なる順序で行われる場合があり、あるいは諸ステップは、追加、削除、または変更される場合がある。これらの変形のすべては、請求する発明の一部とみなされる。
【００２０】
図面を見ると、図４は、一実施形態による変電所管理コンピュータ製品の例示的環境４００を示している。この点で、環境４００は、ＩＥＤまたは変電所コンピュータなど、諸実施形態による変電所管理方法を実行するために、本明細書に記載するプロセスを行うことができるコンピュータシステム４１０を含む。詳細には、コンピュータシステム４１０は、変電所管理プログラム４２０を含むように示しており、変電所管理プログラム４２０は、コンピュータシステム４１０が、上述の変電所管理方法の一実施形態など、本明細書に記載するプロセスを行うことによって変電所を管理するように動作させる。
【００２１】
コンピュータシステム４１０は、処理構成要素またはユニット（ＰＵ）４１２（例えば１つまたは複数のプロセッサ）、入力／出力（Ｉ／Ｏ）構成要素４１４（例えば１つまたは複数のＩ／Ｏインタフェースおよび／または装置）、記憶構成要素４１６（例えば記憶階層）、および通信経路４１７を含んで示している。一般に、処理構成要素４１２は、変電所管理プログラム４２０などのプログラムコードを実行し、少なくとも部分的に記憶構成要素４１６に取り付けられ、記憶構成要素は、１つまたは複数のコンピュータ可読記憶媒体または装置を含むことができる。プログラムコードを実行しながら、処理構成要素４１２は、データを処理することができ、その結果として、記憶構成要素４１６および／またはＩ／Ｏ構成要素４１４から転送されたデータ／これらに転送されたデータを、さらに処理するために読み取るおよび／または書き込むことができる。経路４１７は、コンピュータシステム４１０の構成要素のそれぞれの間の通信リンクを提供する。Ｉ／Ｏ構成要素４１４は、１つまたは複数のヒューマンＩ／Ｏデバイスを含むことができ、これにより人間のユーザがコンピュータシステム４１０および／または１つもしくは複数の通信装置と対話することができるようになり、任意のタイプの通信リンクを使用してシステムのユーザがコンピュータシステム４１０と通信できるようになる。諸実施形態では、ネットワーク化されたハードウェア／ソフトウェアなどの通信設備４３０により、コンピューティングデバイス４１０は、コンピューティングデバイス４１０が設置された変電所の内外の他の装置と通信できるようになる。この点で、変電所管理プログラム４２０は、人間および／またはシステムユーザが変電所管理プログラム４２０と対話できるようにする一連のインタフェース（例えば、（１つまたは複数の）グラフィカルユーザインタフェース、アプリケーションプログラムインタフェース、および／または同様のもの）を管理することができる。さらに、変電所管理プログラム４２０は、任意の解決法を使用して、変電所管理データ４１８などのデータを管理（例えば、格納、作成、操作、整理、提示など）することができる。
【００２２】
コンピュータシステム４１０は、変電所管理プログラム４２０などのインストールされたプログラムコードを実行することができる１つまたは複数の汎用コンピュータ製品（例えばコンピューティングデバイス）を含むことができる。本明細書では、「プログラムコード」は、情報処理機能を有するコンピューティングデバイスに直接的に、または次の任意の組合せ、すなわち（ａ）別の言語、コード、または表記に変換、（ｂ）異なる材料形態で復元、および／または（ｃ）解凍の任意の組合せの後に、特定のアクションを行わせる、いかなる言語、コード、または表記のいかなる命令の集まりも意味すると理解されたい。さらに、コンピュータコードは、オブジェクトコード、ソースコード、および／または実行コードを含むことができ、少なくとも１つのコンピュータ可読媒体上にあるときコンピュータ製品の一部を形成することができる。「コンピュータ可読媒体」という用語は、コンピューティングデバイスによってそこからプログラムコードのコピーが認識される、再生される、あるいは伝えられる、現在知られている、または将来開発される、いかなるタイプの有形表現媒体の１つまたは複数を含むこともできると理解されたい。例えば、コンピュータ可読媒体は、１つまたは複数の携帯型ストレージ製品、コンピューティングデバイスの１つまたは複数のメモリ／記憶構成要素、紙などを含むことができる。メモリ／記憶構成要素の例には、磁気媒体（フロッピーディスク、ハードディスク、テープなど）、光媒体（コンパクトディスク、デジタル多用途ディスク／デジタルビデオディスク、光磁気ディスクなど）、ランダムアクセスメモリ（ＲＡＭ）、リードオンリメモリ（ＲＯＭ）、フラッシュＲＯＭ、消去可能プログラマブルリードオンリメモリ（ＥＰＲＯＭ）、または現在知られている、および／または将来開発されるおよび／または発見されるコンピュータプログラムコードを格納し、コンピュータプログラムコードをコンピュータによってロードし、実行することができる、他の任意のコンピュータ記憶格納媒体が含まれる。コンピュータがコンピュータプログラムコードを実行するとき、コンピュータは本発明を実行するための装置になり、汎用マイクロプロセッサ上では、コンピュータコードのセグメントを有するマイクロプロセッサの構成によって、特定の論理回路が作成される。実行可能な命令の技術的な効果は、一次装置がアクティブ状態ではなくなる場合に変電所のバックアップ装置を作動させる変電所管理方法および／またはシステムおよび／またはコンピュータ製品を実装することであり、この作動は、アクティブ状態ではなくなった一次装置に対応するバックアップ構成ファイルを使用することを含む。
【００２３】
コンピュータプログラムコードは、任意のプログラミング言語で符号化されたソフトウェアの形式でコントローラによって実行可能なコンピュータ命令に書き込まれることが可能である。好適なプログラミング言語の例には、限定ではないが、アセンブリ言語、ＶＨＤＬ（Ｖｅｒｉｌｏｇ  Ｈａｒｄｗａｒｅ  Ｄｅｓｃｒｉｐｔｉｏｎ  Ｌａｎｇｕａｇｅ）、Ｖｅｒｙ  Ｈｉｇｈ  Ｓｐｅｅｄ  ＩＣ  Ｈａｒｄｗａｒｅ  Ｄｅｓｃｒｉｐｔｉｏｎ  Ｌａｎｇｕａｇｅ（ＶＨＳＩＣ  ＨＤＬ）、ＦＯＲＴＲＡＮ（Ｆｏｒｍｕｌａ  Ｔｒａｎｓｌａｔｉｏｎ）、Ｃ、Ｃ＋＋、Ｃ＃、Ｊａｖａ、ＡＬＧＯＬ（Ａｌｇｏｒｉｔｈｍｉｃ  Ｌａｎｇｕａｇｅ）、ＢＡＳＩＣ（Ｂｅｇｉｎｎｅｒ  Ａｌｌ−Ｐｕｒｐｏｓｅ  Ｓｙｍｂｏｌｉｃ  Ｉｎｓｔｒｕｃｔｉｏｎ  Ｃｏｄｅ）、ＡＰＬ（Ａ  Ｐｒｏｇｒａｍｍｉｎｇ  Ｌａｎｇｕａｇｅ）、ＡｃｔｉｖｅＸ、ＨＴＭＬ（ＨｙｐｅｒＴｅｘｔ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）、ならびにこれらおよび／または知られているおよび／または将来開発されるおよび／または発見されるその他の１つまたは複数の組合せまたは派生が含まれる。この点で、変電所管理プログラム４２０は、システムソフトウェアおよび／またはアプリケーションソフトウェアのいかなる組合せとしても具現化することができる。
【００２４】
さらに、変電所管理プログラム４２０は、一連のモジュール４２２を使用して実装することができる。この場合、モジュール４２２は、コンピュータシステム４１０が変電所管理プログラム４２０によって使用される一連のタスクを実行できるようにすることができ、変電所管理プログラム４２０の他の部分を切り離して個々に開発および／または実装することができる。本明細書で使用する「構成要素」という用語は、ソフトウェアの有無にかかわらず、任意の解決法を使用して併せて説明する機能を実装するいかなるハードウェアの構成も意味し、「モジュール」という用語は、コンピュータシステム４１０が併せて説明するアクションを任意の解決法を使用して実装できるようにするプログラムコードを意味する。処理構成要素４１２を含むコンピュータシステム４１０の記憶構成要素４１６に取り付けられるとき、モジュールが、アクションを実行する構成要素の実質的な部分である。いずれにせよ、２つ以上の構成要素、モジュール、および／またはシステムは、そのそれぞれのハードウェアおよび／またはソフトウェアの一部／全部を共有することができることを理解されたい。さらに、コンピュータシステム４１０の一部として、本明細書に記載する機能の一部を実装することができない、または追加の機能を含めることができると理解されたい。
【００２５】
コンピュータシステム４１０が複数のコンピューティングデバイスを含むとき、各コンピューティングデバイスは、変電所管理プログラム４２０の一部のみを固定することができる（例えば１つまたは複数のモジュール４２２）。しかしながら、コンピュータシステム４１０および変電所管理プログラム４２０は単に、本明細書に記載するプロセスを実行することができる様々な考えられる等価なコンピュータシステムを表わしていることを理解されたい。この点で、他の実施形態では、コンピュータシステム４１０および変電所管理プログラム４２０によって提供される機能は、プログラムコードの有無にかかわらず、汎用ハードウェアおよび／または特定用途のハードウェアのいかなる組合せも含む１つまたは複数のコンピューティングデバイスによって少なくとも部分的に実装されることが可能である。各実施形態では、ハードウェアおよび含まれる場合プログラムコードは、それぞれ標準的な工学およびプログラミング技術を使用して作成されることが可能である。
【００２６】
いずれにせよ、コンピュータシステム４１０が複数のコンピューティングデバイスを含むとき、コンピューティングデバイスは、任意のタイプの通信リンクを通じて通信することができる。さらに、本明細書に記載するプロセスを行いながら、コンピュータシステム４１０は、任意のタイプの通信リンクを使用して１つまたは複数の他のコンピュータシステムと通信することができる。いずれの場合も、通信リンクは、様々なタイプの有線リンクおよび／または無線リンクのいかなる組合せも含む、１つまたは複数のタイプのネットワークのいかなる組合せも含む、ならびに／あるいは現在知られているおよび／または将来開発されるおよび／または発見される様々なタイプの送信技術およびプロトコルのいかなる組合せも使用することができる。
【００２７】
本明細書で説明するように、変電所管理プログラム４２０により、コンピュータシステム４１０は、図３に概略的に示すような変電所管理製品および／または方法を実装することができるようになる。コンピュータシステム４１０は、任意の解決法を使用して変電所管理データ４１８を取得することができる。例えば、コンピュータシステム４１０は、変電所管理データ４１８を生成するおよび／または生成するように使用される、１つまたは複数のデータストアから変電所管理データ４１８を検索する、変電所の内外の別のシステムもしくはデバイスから変電所管理データ４１８を受信するなどが可能である。
【００２８】
別の実施形態では、本発明は、図３に概略的に示し、図３を参照して説明するように、本明細書に記載するプロセスの一部または全部を実行する、変電所管理プログラム４２０（図４）のようなプログラムコードのコピーを提供する方法を提供する。この場合、コンピュータシステムが、本明細書に記載するプロセスの一部または全部を実行するプログラムコードのコピーを処理して、第２の別個の場所で受け取るために一連のデータ信号を生成して送信することができ、一連のデータ信号は、一連のデータ信号の中のプログラムコードのコピーをエンコードするように設定および／または変更されたその特性の１つまたは複数を有する。同様に、本発明の諸実施形態は、本明細書に記載するプロセスの一部または全部を実装するプログラムコードのコピーを取得する方法を提供し、この方法は、コンピュータシステムが本明細書に記載する一連のデータ信号を受け取ること、一連のデータ信号を少なくとも１つのコンピュータ可読媒体に固定されるコンピュータプログラムのコピーに変換することを含む。いずれの場合も、一連のデータ信号は、任意のタイプの通信リンクを使用して送信／受信されることが可能である。
【００２９】
さらに別の実施形態では、本発明は、変電所管理製品および／または方法を実装するためのシステムを生成する方法を提供する。この場合、コンピュータシステム４１０（図４）のようなコンピュータシステムを取得する（例えば作成する、保守管理する、利用できるようにするなど）ことができ、本明細書に記載するプロセスを行うための１つまたは複数の構成要素を取得し（例えば製造する、購入する、使用する、変更するなど）、コンピュータシステムに配備することができる。この点で、配備は、（１）コンピューティングデバイスにプログラムコードをインストールすること、（２）１つもしくは複数のコンピューティングデバイスおよび／またはＩ／Ｏデバイスをコンピュータシステムに追加すること、（３）本明細書に記載するプロセスを実行できるようにコンピュータシステムを組み込むことおよび／または変更することなどのうちの１つまたは複数を含むことができる。
【００３０】
本明細書の諸態様は、購読料、広告料、および／または手数料方式で、本明細書に記載するプロセスを行うビジネス方法の一部として実施することができると理解されたい。すなわち、サービスプロバイダは、本明細書に記載する変電所管理製品および／または方法を実行することを申し出ることができる。この場合、サービスプロバイダは、コンピュータシステム４１０（図４）のような、本明細書に記載するプロセスを１人または複数の顧客のために行うコンピュータシステムを管理する（例えば作成する、保守管理する、サポートするなど）ことができる。見返りとしてサービスプロバイダは、購読および／または手数料に同意した（１人または複数の）顧客からの支払いを受け取ること、１人または複数の第三者への広告の販売からの支払いを受け取ることなどができる。
【００３１】
以下の特許請求の範囲の中のありとあらゆる手段またはステップさらに機能要素の対応する構造、材料、行為、および等価物は、具体的に請求される他の請求要素と組み合わせて機能を行うためのいかなる構造、材料、または行為も含むものとする。本発明の記述は、説明および記述の目的で行ったが、網羅的または開示した形態の発明に限定するものではない。本発明の範囲および趣旨を逸脱することなく多くの変更形態および変形形態が当業者には明らかであろう。本発明の原理および実際の応用を最も良く説明するために、また予想される特定の利用に適合する様々な変更形態と共に様々な実施形態について当業者が本発明を理解できるように、実施形態を選択して説明した。
【００３２】
限られた数の実施形態に関してのみ本発明を詳細に説明したが、本発明はこのような開示した実施形態に限定されないことは容易に理解されるであろう。正しくは、本発明は、前述していないが、本発明の趣旨および範囲に見合った任意の数の変形形態、変更形態、代替形態、または等価な仕組みを組み込むように変更することができる。また、本発明の様々な実施形態について説明したが、本発明の諸態様は、説明した諸実施形態の一部のみを含むことができると理解されたい。したがって、本発明は前述の説明によって限定されるとみなされるべきではなく、添付の特許請求の範囲によってのみ限定される。
【符号の説明】
【００３３】
１００  電力生成および配電網
１１０  マスターステーション
１２０  送電網
１３０  送電顧客
１４０  変電所
１５０  下位送電顧客
１６０  一次顧客
１７０  二次顧客
１８０  配電線
２００  諸実施形態による変電所
２１０  一次インテリジェント電子デバイス（ＩＥＤ）
２２０  入力／出力データ（Ｉ／Ｏ）
２３０  測定ユニット（ＭＵ）
２４０  プロセスバス
２５０  変電所母線
２６０  変電所コンピュータ
２６５  別の通信設備
２７０  構成ファイル
２８０  バックアップ構成ファイル
２９０  バックアップＩＥＤ
４００  例示的環境
４１０  コンピュータシステム
４１２  処理構成要素またはユニット（ＰＵ）
４１４  入力／出力（Ｉ／Ｏ）構成要素
４１６  記憶構成要素
４１７  通信経路
４１８  変電所管理データ
４２０  変電所管理プログラム
４２２  モジュール
４３０  通信設備
【図１】
2012165636.tif 000003
【図２】
2012165636.tif 000004
【図３】
2012165636.tif 000005
【図４】
2012165636.tif 000006
【外国語明細書】
2012165636000001.pdf